(57)【要約】【課題】複数の書類を積層して保管ができ、取り扱うのに便利で、比較的に少ない力でも開けることができ、手の痛みを誘発することなく、外観を一層美麗にするバインダクリップを提供する。【解決手段】板材を折り曲げて、両側が開放され、端部が上下方向にカールされた鋏部及び弾力発生部を含んで断面が三角形をなし、前記弾力発生部の弾性力に対抗して鋏部が上下に広がって挿入口が開けられてから閉まることになるクリップ本体と、前記クリップ本体の上下部にそれぞれ３辺に沿って所定の高さを持って”コ”の字状に形成され、両端部には、前記各鋏部のカール部の両端に挿入されるように、前記カール部に対応する係止突起が形成され、前記係止突起の反対側にヒンジ部が穿設された連結ガイドと、前記ヒンジ部に挿入されるヒンジピンが一端に挿入される板状に形成され、前記連結ガイドに折り畳まれるように、前記ヒンジ部を軸として回動する軸支押し板とを含む。【選択図】図２
2007203730.tif 000002
【特許請求の範囲】
【請求項１】
バインダクリップにおいて、
板材を折り曲げて、両側が開放され、端部が上下方にカールされた鋏部及び弾力発生部を含んで断面三角形をなし、前記弾力発生部の弾性力に対抗して鋏部が上下に広がって挿入口が開けられてから閉まることになるクリップ本体と；
前記クリップ本体の上下部にそれぞれ３辺沿って所定の高さを持って”コ”の字状に形成され、両端部には、前記各鋏部のカール部の両端に挿入されるように、前記カール部に対応する係止突起が形成され、前記係止突起の反対側にヒンジ部が穿設された連結ガイドと；
前記ヒンジ部に挿入されるヒンジピンが一端に挿入される板状に形成され、前記連結ガイドに折り畳まれるように、前記ヒンジ部を軸として回動する軸支押し板と；
を含んでなることを特徴とするバインダクリップ。
【請求項２】
前記鋏部は断面四角形をなすように折り曲げられてカールされ、
前記連結ガイドは、前記鋏部の内周面に対応する外周面を持つ四角形に形成されることを特徴とする、請求項１に記載のバインダクリップ。
【請求項３】
前記軸支押し板は、内側面に、前記”コ”の字状の連結ガイドの内部形成空間に対応する広さ及び厚さに形成される挿着板をさらに含むことを特徴とする、請求項１に記載のバインダクリップ。
【請求項４】
前記軸支押し板は、内側面に、前記”コ”の字状の連結ガイドの内部形成空間に対応する幅及び厚さを持つ少なくとも一つのリブをさらに含むことを特徴とする、請求項１に記載のバインダクリップ。
【請求項５】
前記軸支押し板は、内側面及び外側面に文字、文様、凹凸、穿孔、網組職、絵又は写真などが形成されることを特徴とする、請求項１に記載のバインダクリップ。
【請求項６】
前記軸支押し板の所定位置に垂直に開口部が穿設されていることを特徴とする、請求項１に記載のバインダクリップ。
【請求項７】
前記鋏部に溝と突起が形成されていることを特徴とする、請求項１に記載のバインダクリップ。
【発明の詳細な説明】
【技術分野】
【０００１】
本発明はバインダクリップに関し、より詳しくは書類や文書を綴じて保管する時、いくつかの綴じられた書類を重ねて入れる、あるいは積層することができるように、クリップ本体の開放部を開閉する役目をする押し板を回動させて折り畳むか拡開することができる構造に形成されるバインダクリップに関するものである。
【背景技術】
【０００２】
一般に、書類を綴じる用途に使用される文具には、書類の種類、厚さ、保管方法などによって多様な種類のクリップが使用されているが、書類の厚さが薄い場合には通常パチットクリップが使用されている。
【０００３】
しかし、前記パチットクリップは、使用時にパチットクリップのために特別に考案されたホルダーにパチットクリップを挿入し、ホルダーの前部を書類のエッジ部に位置させた状態でホルダーの取っ手を前方に押し付けると、パチットクリップが前進移動して書類の上下面を狭持する締結方式を用いるもので、使用者の押し付け力の限界とホルダー大きさなどの制約によってパチットの大きさを大きく形成することができないので、綴じようとする書類が一定厚さ以上になれた適用が不可能な問題点があった。
【０００４】
このような問題点を解決するために、従来、図１に示すように、バインダクリップを使用した。その構造は、クリップ本体１０、鋏部１１、弾力発生部１２、及び押し部材１３からなる。
【０００５】
クリップ本体１０の上下側に線形に形成された押し部材１３が固定され、指で押すのに適当な所定形態に折り曲げられ、その両端は互いに反対に折り曲げられて平行になる。この平行に開けられた部分は前記クリップ本体１０のカールされた鋏部１１にヒンジ結合される。
【０００６】
クリップ本体１０は、三角形の断面の上下辺をなし、前記押し部材１３がそれぞれ固定される鋏部１１と、この鋏部１１に所定の弾力を提供するために、上下面と連結されて三角形の断面の一辺を形成する弾力発生部１２とからなる。
【０００７】
上・下鋏部１１は、書類をつまむために開けられる場合、挿入口１４を形成する。この挿入口１４の縁は外側に丸くカールされ、中間部が切り取られ、前記押し部材１３の平行に開けられた両端部がヒンジ結合される。
【０００８】
したがって、クリップ本体１０の上・下押し部材１３を鋏部１１の面に当接した状態で手で押せば、前記弾力発生部１２が内側に押し込まれ、前記挿入口１４が開けられることになる。前記鋏部１１の開度は前記弾力発生部１２の弾性力に左右される。このようなクリップは書類を押して固定する固定力が大きく、厚い書類の綴じることが可能であるという利点がある。
【０００９】
しかし、前述した構造の従来のバインダクリップは、書類を綴じる時、使用者が指で前記押し部材１３を加圧しながら使用しなければならないので、加圧時に比較的大きな力が必要になり、ひどい場合には、痛みを生じるなど、使用上の不便さがある。特に、前記バインダクリップは、書類を綴じた状態で、前記押し部材１３が上下側に突出するので、この押し部材１３のため、複数の書類を積層して保管するか取り扱うのに非常に不便であり、前記押し部材１３を別に分離して保管したりするが、使用時の分離及び結合が煩わしくて、分離後に紛失する場合が多い問題点があった。
【発明の開示】
【発明が解決しようとする課題】
【００１０】
本発明は前述した問題点を解決するためになされたもので、保管時に軸支押し板が突出しないので、複数の書類を積層して保管するか取り扱うのに便利であり、連結ガイドと軸支押し板が広がった時、相互間に比較的大きい角度を成し、前記軸支押し板の面積が広い板状に形成されているので、前記挿入口を開けるために前記軸支押し板を使用者が加圧する時、従来の製品に比べて少な力でも開けることができ、手の痛みを誘発しなくなり、前記軸支押し板の内側面部及び外側面部に文字、文様、凹凸、穿孔、網組職、絵又は写真などを形成して、見掛け上一層美麗で使用者の趣向に合うバインダクリップを提供することにその目的がある。
【課題を解決するための手段】
【００１１】
前述したような技術的課題を解決するため、本発明は、バインダクリップにおいて、板材を折り曲げて、両側が開放され、端部が上下方向にカールされた鋏部及び弾力発生部を含んで断面が三角形をなし、前記弾力発生部の弾性力に対抗して鋏部が上下に広がって挿入口が開けられてから閉まることになるクリップ本体と；前記クリップ本体の上下部にそれぞれ３辺に沿って所定の高さを持って”コ”の字状に形成され、両端部には、前記各鋏部のカール部の両端に挿入されるように、前記カール部に対応する係止突起が形成され、前記係止突起の反対側にヒンジ部が穿設された連結ガイドと；前記ヒンジ部に挿入されるヒンジピンが一端に挿入される板状に形成され、前記連結ガイドに折り畳まれるように、前記ヒンジ部を軸として回動する軸支押し板と；を含んでなることを特徴とするバインダクリップを提供する。
【００１２】
前記鋏部は断面が四角形をなすように折り曲げられてカールされ、前記連結ガイドは、前記鋏部の内周面に対応する外周面を持つ四角形に形成されることが望ましい。
【００１３】
前記軸支押し板は、内側面に、前記”コ”の字状の連結ガイドの内部形成空間に対応する広さ及び厚さに形成される挿着板をさらに含むことが望ましい。
【００１４】
前記軸支押し板は、内側面に、前記”コ”の字状の連結ガイドの内部形成空間に対応する幅及び厚さを持つ少なくとも一つのリブをさらに含むことが望ましい。
【００１５】
前記軸支押し板は、内側面及び外側面に文字、文様、凹凸、穿孔、網組職、絵又は写真などが形成されることが望ましい。
【００１６】
前記軸支押し板の所定位置に垂直に開口部が穿設されていることが望ましい。
前記鋏部に溝と突起が形成されていることが望ましい。
【発明の効果】
【００１７】
前述したように、本発明によるバインダクリップは、クリップ本体に結合される連結ガイドと前記連結ガイドに折り畳み可能にヒンジ結合される軸支押し板を具備することにより、保管時、前記軸支押し板が突出しないので複数の書類を積層して保管するか取り扱うのに便利な効果を有する。
【００１８】
また、前記連結ガイドと軸支押し板が広がった時、相互間に比較的大きな角度を成し、前記軸支押し板の面積が広い板状に形成されることにより、前記挿入口を開けるために前記軸支押し板を使用者が加圧する時、従来の製品に比べて少ない力でも開けることができ、手の痛みを誘発しない効果を持つ。
【００１９】
また、前記連結ガイド及び軸支押し板の材質としてガラス纎維、炭素纎維又はアルミニウムなどの軽量素材を使うことにより、従来の製品に比べて重さを多少でも減少させることができる効果を持つ。
また、前記軸支押し板の内側面部及び外側面部に文字、文様、凹凸、穿孔、網組職、絵又は写真を形成することにより、外観が一層美麗になり、使用者の趣向に合うバインダクリップを提供することができる効果を持つ。
【発明を実施するための最良の形態】
【００２０】
以下、添付図面を参照して本発明について説明する。下記の本発明の説明において、関連した公知の機能又は構成についての具体的な説明が本発明の要旨をあいまいにすることができると判断される場合は、その詳細な説明を省略する。
【００２１】
図２は本発明によるバインダクリップの結合構造を示す分解斜視図である。図２を参照すれば、本発明のバインダクリップ１は、クリップ本体１００、連結ガイド２００、及び軸支押し板３００から構成される。
【００２２】
クリップ本体１００は、板材を折り曲げて左右両側を開放させ、断面が三角形をなし、上下面の端部を上下方向にカールさせて形成した鋏部１１０、及び前記鋏部１１０に所定の弾力を提供するために、前記上下面に連結され、屈曲部を有する一面をなす弾力発生部１２０からなる。
【００２３】
書類をつまむために、前記弾力発生部１２０の弾性力に対抗して前記鋏部１１０が上下に動いて挿入口１３０が開けられる。
【００２４】
連結ガイド２００は、前記クリップ本体１００の上下面の各面の３辺に沿って所定の高さを有するように”コ”の字状に形成される。そして、前記”コ”の字状の連結ガイド２００の両端部には、前記鋏部１１０のカール部の両端に挿着されるように、前記カール部に対応する形態を持つ係止突起２２０が形成される。
【００２５】
この時、前記鋏部１１０は、断面が四角形になるように折り曲げられてカールされ、前記連結ガイド２００の全体又は前記係止突起２２０の断面は前記鋏部１１０の内周面に対応する外周面を持つ四角柱状に形成されることが望ましい。このように形成されることにより、前記連結ガイド２００が前記クリップ本体１００にもっと安定的に固定されることになる。
【００２６】
前記連結ガイド２００は、前記係止突起２２０の形成される部位の反対側の両側面に、後述するヒンジピン３１２が挿入されてヒンジ結合されるヒンジ部２１０が形成される。
軸支押し板３００は、前記ヒンジ部２１０に挿入されるヒンジピン３１２が挿入されるピン挿入孔３２２が一側端部に形成された板状に形成される。前記ヒンジピン３１２が前記ヒンジ部２１０と前記ヒンジ挿入孔３２２を貫通することにより、前記軸支押し板３００が開閉可能になる。
【００２７】
また、前記軸支押し板３００は、内側面部に、前記”コ”の字状の連結ガイド２００の内部空間に対応する広さ及び厚さに形成される挿着板３１０を備えて、より大きな外力に耐えるように形成されることが望ましい。
【００２８】
しかし、本発明の前記挿着板３１０の形状をこれに限定するものではなく、前記挿着板３１０の代わりに、同じ役目をするように、前記連結ガイド２００の内部空間に対応する幅及び厚さを持つ少なくとも一つのリブを備えるように形成することも望ましい。
【００２９】
そして、前記連結ガイド２００及び軸支押し板３００の材質としてガラス纎維、炭素纎維又はアルミニウムなどの軽量素材を使用することにより、従来の製品に比べて重さを多少でも減少させるように形成することが望ましい。また、前記軸支押し板３００の内側面部及び外側面部に文字、文様、凹凸、穿孔、網組職、絵又は写真を形成することが望ましい。
【００３０】
そして、前記軸支押し板３００の所定位置に垂直に穿設される開口部（図示せず）を提供することで、前記バインダクリップ１を使って書類を保管する時、壁、机などに付着されたくぎやピンに前記軸支押し板３００をかけて保管するようにすることが望ましい。
【００３１】
図３ａは本発明によるバインダクリップの軸支押し板が開けられた状態を示す斜視図、図３ｂは図３ａのＡ−Ａ’線についての断面図、図４ａは本発明によるバインダクリップの軸支押し板が閉まった状態を示す斜視図、図４ｂは図４ａのＢ−Ｂ’線についての断面図である。図３ａ、図３ｂ、図４ａ及び図４ｂに示すように、本発明のバインダクリップ１は、前記上下側の軸支押し板３００を広げて手で押せば、前記弾力発生部１２０が内側に押し込まれ、それによって前記挿入口１３０が開けられることになる。
【００３２】
綴じようとする書類の厚さに応じて前記挿入口１３０を開け、その間に書類の縁部を入れてから前記軸支押し板３００を押し付けている手を放せば、前記弾力発生部１２０の弾性によって前記鋏部１１０が前記書類の上下面を狭持することになる。
【００３３】
その後、前記軸支押し板３００を前記連結ガイド２００側に折り畳むと、前記軸支押し板３００が前記クリップ本体１００に同一面積で密着して外部に突出しないので、複数の書類を積層して保管するか取り扱うのに便利になる。
【００３４】
また、前記連結ガイド２００と軸支押し板３００が広がった時、相互間に比較的大きな角度を成し、指でつかまれる前記軸支押し板３００の面積が広い板状に形成されるので、軸支押し板３００を使用者が加圧する時、従来の製品に比べて少ない力でも開けることができ、手の痛みを誘発しない利点がある。
【００３５】
図５は本発明のほかの実施例の断面図を示すもので、図４ｂとは異なり、対向して直接書類をつまむ鋏部１１０の一方には鋏部突起４００が形成され、他方には鋏部溝４０１が形成されているので、突起と溝の噛み合いによって書類を一層確実に挟むことができる。
【００３６】
鋏部突起４００は断面半球形に一直線上に間隔を置いて複数備えてもかまわないが、一の字形のバー状のものが望ましく、鋏部溝４０１は前記鋏部突起４００の大きさ、形状及び位置に対応して形成される。
【産業上の利用可能性】
【００３７】
本発明は、複数の書類を積層して保管したり、取り扱うのに便利であり、挿入口を開ける時、従来の製品に比べて少ない力でも開けることができ、手の痛みを誘発しなくなり、概観を一層美麗にして使用者の趣向に合うようにするバインダクリップに適用可能である。
【図面の簡単な説明】
【００３８】
【図１】従来技術によるバインダクリップの構造を示す斜視図である。
【図２】本発明によるバインダクリップの結合構造を示す分解斜視図である。
【図３ａ】本発明によるバインダクリップの軸支押し板が開けられた状態を示す斜視図である。
【図３ｂ】図３ａのＡ−Ａ’線についての断面図である。
【図４ａ】本発明によるバインダクリップの軸支押し板が閉まった状態を示す斜視図である。
【図４ｂ】図４ａのＢ−Ｂ’線についての断面図である。
【図５】鋏部に突起及び溝が形成された実施例の断面図である。
【符号の説明】
【００３９】
１        バインダクリップ
１０      クリップ本体
１１      鋏部
１２      弾力発生部
１３      押し部材
１４      挿入口
１００    クリップ本体
１１０    鋏部
１２０    弾力発生部
１３０    挿入口
２００    連結ガイド
２１０    ヒンジ部
２２０    係止突起
３００    軸支押し板
３１０    挿着板
３１２    ヒンジピン
３２２    ピン挿入孔
４００    鋏部突起
４０１    鋏部溝
【図１】
2007203730.tif 000003
【図２】
2007203730.tif 000004
【図３ａ】
2007203730.tif 000005
【図３ｂ】
2007203730.tif 000006
【図４ａ】
2007203730.tif 000007
【図４ｂ】
2007203730.tif 000008
【図５】
2007203730.tif 000009